(57)【要約】【課題】電気自動車充電装置において充電操作の前に車両認証が成功したか失敗したかを知ることができるようにする。【解決手段】ユーザ車両の登録操作を受け付けて該車両の識別情報を記憶する車両登録装置１０と、充電準備された車両を自動的に撮影するカメラ１３を有しカメラ１３の撮影画像から車両の識別情報を読み取る識別情報読取装置１２と、識別情報読取装置１２が読み取った車両の識別情報と車両登録装置１０に記憶されている車両の識別情報とが一致したときに許可表示して車両への充電を許可する識別情報照合装置１５とを備える。【選択図】図１
2016131430.tif 000002
【特許請求の範囲】
【請求項１】
ユーザ車両の登録操作を受け付けて該車両の識別情報を記憶する車両登録装置と、
近接してきた車両を自動的に撮影するカメラを有し該カメラの撮影画像から車両の識別情報を読み取る識別情報読取装置と、
前記識別情報読取装置が読み取った車両の識別情報と前記車両登録装置に記憶されている車両の識別情報とが一致したときに許可表示して車両への充電を許可する識別情報照合装置とを備えたことを特徴とする電気自動車充電装置。
【請求項２】
請求項１に記載の電気自動車充電装置において、
前記車両の識別情報は車両番号を含むことを特徴とする電気自動車充電装置。
【請求項３】
請求項２に記載の電気自動車充電装置において、
前記車両の識別情報は車両形状、車両色の少なくとも一方を更に含むことを特徴とする電気自動車充電装置。
【請求項４】
請求項１乃至３のいずれか一項に記載の電気自動車充電装置において、
前記車両登録部はユーザ車両の登録操作を受け付けると前記識別情報読取装置を作動させてユーザ車両の識別情報を読み取って記憶することを特徴とする電気自動車充電装置。
【請求項５】
請求項１乃至４のいずれか一項に記載の電気自動車充電装置において、
車両への充電を許可していない状態で充電操作がなされたときには所定の警報を行うことを特徴とする電気自動車充電装置。
【請求項６】
請求項１乃至５のいずれか一項に記載の電気自動車充電装置において、
車両への充電を許可していない状態で充電操作がなされたときには所定の外部装置に不正操作の発生を通報することを特徴とする電気自動車充電装置。
【請求項７】
請求項１乃至６のいずれか一項に記載の電気自動車充電装置において、
車両への充電を許可していない状態で充電操作がなされたときには前記カメラの撮影画像を保存することを特徴とする電気自動車充電装置。
【発明の詳細な説明】
【技術分野】
【０００１】
本発明は一般住戸の駐車場等に設置され電気自動車に充電する電気自動車充電装置に関する。
【背景技術】
【０００２】
前記のような電気自動車充電装置を一般住戸の駐車場等に設置した場合、第三者による不正使用（電気の窃盗）を防止する仕組みが必要とされる。そのような不正使用を防止するための従来技術として例えば次の特許文献１がある。特許文献１には充電装置に撮像部を設け車両を撮影してナンバープレートに記されている車両番号を認識し、事前に登録されている車両番号と一致すれば充電プラグの電気錠を解錠させることが記載されている。
【先行技術文献】
【特許文献】
【０００３】
【特許文献１】特開２０１２−１０５３７４号公報
【発明の概要】
【発明が解決しようとする課題】
【０００４】
しかしながらカメラ等の撮影によって車両番号を認識する方法を採用した場合、ナンバープレートの汚れ具合等によっては車両番号の認識が成功するとは限らない。そして特許文献１に記載の構成では充電操作を始める前に車両番号の照合が成功したか失敗したかユーザにとって明らかでなく、照合が失敗している場合には充電操作に対して予期せずに警告動作等が行われてしまう可能性ある。
【０００５】
本発明はそのような問題に着目してなされたものであり、カメラの撮影画像から車両の識別情報を読み取って車両認証する電気自動車充電装置において充電操作の前に車両認証が成功したか失敗したかを知ることができるようにすることを目的としている。
【課題を解決するための手段】
【０００６】
本発明による電気自動車充電装置はユーザ車両の登録操作を受け付けて該車両の識別情報を記憶する車両登録装置と、近接してきた車両を自動的に撮影するカメラを有し該カメラの撮影画像から車両の識別情報を読み取る識別情報読取装置と、前記識別情報読取装置が読み取った車両の識別情報と前記車両登録装置に記憶されている車両の識別情報とが一致したときに許可表示して車両への充電を許可する識別情報照合装置とを備えたことを特徴とする。
【発明の効果】
【０００７】
本発明による電気自動車充電装置は車両を自動撮影して車両認証が成功した場合は許可表示するので、ユーザは充電操作の前に車両認証が成功したか失敗したかを知ることができる。
【図面の簡単な説明】
【０００８】
【図１】本発明の実施形態の一例とされる電気自動車充電装置の基本構成を示すブロック図である。
【図２】同電気自動車充電装置の具体例を示す全体斜視図である。
【図３】同電気自動車充電装置の基本動作を示すフローチャートである。
【発明を実施するための形態】
【０００９】
図１は本実施形態の電気自動車充電装置の基本構成を示している。以下この図に従って充電装置の構成要素を順に説明していく。
【００１０】
充電装置１は従来と同様の基本構成を有する。充電装置１は要するに商用電源等を受けて充電用の電流を供給する屋外電源装置であり、例えば公知の定電流回路等によって構成できる。充電装置１の種別としてはコンセント型のものと充電ケーブル付きのものがあるが、本発明はどちらにも適用できる。前者の場合は車載の充電ケーブルを充電装置１のコンセントに接続することで車両に充電する。後者の場合は充電装置１の充電ケーブルを車両の充電口に接続して充電する。ここでは実施形態として充電ケーブル付のものを想定している。充電装置１からはケーブル２が導出されており、その先端に充電プラグ３が設けられている。充電装置１は車両への充電の許可、不許可に対応して充電プラグ３の固定用又は収用庫用の電気錠を解錠、非解錠する、あるいは充電ケーブル２への通電を許容、遮断するように構成する。
【００１１】
車両登録装置１０はユーザ車両の登録操作を受け付けてその車両の識別情報を記憶するように構成されている。識別情報の登録数に特段の制限はない。車両の識別情報としては基本的に車両番号（ナンバープレートに記載の登録番号）を想定している。しかし車両の識別情報には更に車両形状、車両色を含ませてもよい。識別情報の項目を多くすれば照合がより確実になる。車両登録装置１０は表示操作部としてタッチパネル１１を備えている。タッチパネル１１では数字キー等を表示して車両番号を入力できるようにするとよい。なお車両登録装置１０は住宅情報盤４等の外部装置からリモート操作を受け付けて車両の識別情報を記憶するように構成してもよい。また車両登録装置１０はタッチパネル１１の手動操作によりユーザ認証する際に必要とされるパスワード等も同様に設定、記憶できるようにするとよい。
【００１２】
識別情報読取装置１２は近接してきた車両を自動的に撮影するカメラ１３を有し、カメラ１３の撮影画像から車両の識別情報を読み取るように構成されている。カメラ１３はＣＣＤあるいはＣＭＯＳ撮像素子等で構成される。撮影素子はモノクロ対応のものでもカラー対応のものでもよく、解像度も特に制限されない。ただし車両の識別情報として車両色も含めているのであれば当然カラー対応のものとする。カメラ１３は充電位置まで接近、停車した車両のナンバープレートが撮影できるように車両のバンパー程の高さに配置するとよい。車両センサ１４は赤外センサ等で構成され車両が一定範囲内に接近してくると検知信号を出力する。識別情報読取装置１２はその検知信号を受けるとカメラ１３を作動させる。カメラ１３の撮影画像から車両の識別情報を読み取る方法は特に制限されず、例えばＯＣＲ等の周知の画像処理技術を用いればよい。
【００１３】
なお車両登録装置１０はタッチパネル１１でユーザ車両の登録操作を受け付けると識別情報読取装置１２を作動させ、カメラの撮影画像から車両の識別情報を読み取って記憶するように構成してもよい。このようにすれば車両番号の入力が簡単に行え、入力ミスも生じない。
【００１４】
識別情報照合装置１５は識別情報読取装置１２が読み取った車両の識別情報と車両登録装置１０に予め記憶されているザ車両の識別情報とが一致したときに許可表示して車両への充電を許可するように構成されている。このようなカメラ１３を用いた車両認証は自動的に行うとよい。また識別情報照合装置１５はタッチパネル１１の手動操作によるユーザ認証が行われた場合も充電を許可する。そうすればナンバープレートが汚れて車両番号が読み取れない場合でも充電装置１を使用できるようになる。
【００１５】
識別情報照合装置１５は、車両認証の結果を表示灯・ブザー１６の点灯、鳴動等で通知するとよい。例えば車両認証が成功した場合は青色表示灯を点灯させ、認証が失敗した場合は赤色表示灯を点灯させてもよい。特に充電装置１を家庭用として利用する場合、車両を充電位置に停車させたとしても必ずしも充電するとは限らないから、表示灯１６の点灯は一定時間とした方が周囲に対して目立たず近所に不信感を与え難い。
【００１６】
表示灯１６は充電準備した車両の運転席から目視できる位置に設けるとよい。そうすればユーザは充電操作を始める前に車両認証が成功したか否かを知ることができ、成功の場合は車両を降りてそのまま充電操作を始めることができる。一方失敗の場合は、そのユーザはその失敗を認識して、タッチパネル１１の手動操作によるユーザ認証によって充電許可を受けることができ、予期しないままブザー鳴動等の警告を受ける等の煩わしさが抑えられる。
【００１７】
識別情報照合装置１５による車両認証が成功して車両への充電を許可する場合、充電装置１と車両とを接続するだけで充電が開始されるようにすると手間が掛からず利便である。しかしもちろん充電装置１と車両とを接続して所定の操作をしたときに充電が開始されるようにしてもよい。また識別情報照合装置１５は車両への充電を許可してから実際の充電開始までに所定の猶予時間を設定してもよい。例えば１０分間のみ充電操作を許可し、その時間が経過すれば不許可にする等である。そうすれば充電を許可した車両が移動してからすぐに別車両がきた場合でもその車両に対して識別情報の照合がなされるのでセキュリティが向上する。
【００１８】
充電装置１は、車両認証が失敗した場合で、すなわち車両への充電を許可していない状態で充電操作がなされたときには所定の警報を行うとよい。警報はブザー鳴動でもよく、パトランプの点滅でもよい。また充電装置１は、車両への充電を許可していない状態で充電操作がなされたときにはその車両の撮影画像を不正操作の証拠写真として保存するとよい。また充電装置１には通報装置１７を設け、車両への充電を許可していない状態で充電操作がなされたときには通信網を通じて外部装置に不正操作の発生を通報するようにしてもよい。通報先となる外部装置はセンタ装置としてもよいし、ユーザの携帯端末としてもよい。これらのセキュリティ対策によって充電装置１が不正操作される危険性が低くなり、更に不正操作された場合に的確な対処ができるようになる。
【００１９】
図２は本実施形態の具体例を示している。充電装置１は充電ケーブル付きのスタンド型としている。筐体の右側面にはケーブル２が導出され、その先端に充電プラグ３が設けられている。充電装置１はコンクリート等の基礎の上にボルト止めできるようになっている。
【００２０】
筐体正面の上部には照明ランプ１８が設けられている。照明ランプ１８は充電装置１が夜間に自動車の接近を検知したとき自動的に点灯させるとよい。そうすれば車両を充電装置に近づけるのが容易になるし、ナンバープレートの撮影も問題なく行えるようになる。照明ランプ１８の下方には表示操作部を構成するタッチパネル１１と、音声ガイドや警報音等を鳴動させるスピーカ部１９とが設けられ、その下方には車両認証の結果を表示する青色及び赤色の表示灯１６が設けられている。更にその下方には車両を撮影するカメラ１３と、車両の接近を検知する車両センサ１４とが設けられている。
【００２１】
図３は本実施形態の車両認証に係る基本動作の手順を示すフローチャートである。車両の識別情報の登録は事前に行われていることを想定し、説明を省略する。
【００２２】
ステップ１００は車両センサを作動させて近接してきた車両を検知するまで待機する処理である。ステップ１０１は車両を検知した場合にカメラを作動させてその車両を撮影する処理である。この撮影画像から車両の識別情報を読み取る。ステップ１０２は、撮影画像から読み取った車両の識別情報を、予め登録されている車両の識別情報と比較して車両認証する処理である。
【００２３】
ステップ１０３は車両認証が成功した場合に許可表示する処理である。ステップ１０４は充電を許可する処理である。ステップ１０５は充電操作を待機する処理である。ステップ１０６は車両に対して充電する処理である。
【００２４】
ステップ１０７は識別情報の照合が失敗したときに不許可表示する処理である。ステップ１０８は手動操作によるユーザ認証を待機する処理である。ステップ１０８、１０９でユーザ認証、充電操作がなされないまま一定時間が経過したときはステップ１００に戻るようにしてもよい。ステップ１０８でのユーザ認証が成功した場合は、ステップ１０３に移動して許可表示し、車両への充電を許可する。ステップ１０９は車両への充電を許可していない状態で行われる充電操作、すなわち不正操作を検知する処理である。ステップ１１０はそのような不正操作がなされたときにカメラの撮影画像を保存する処理である。ステップ１１１は、その不正に対して警報音等によって警報し威嚇する処理である。ステップ１１２は、その不正処理を所定の外部装置に通報する処理である。
【符号の説明】
【００２５】
１      充電装置
１０    車両登録装置
１２    識別情報読取装置
１３    カメラ
１５    識別情報照合装置
【図１】
2016131430.tif 000003
【図２】
2016131430.tif 000004
【図３】
2016131430.tif 000005